(57)【要約】【課題】低コストで、スキャナ要因の濃度ムラ成分を画像データから除去して、より高画質な画像を得ることができる画像生成方式を提供する。【解決手段】メモリ部３に蓄積された画像データに対するフィルタリングを実施するフィルタ部７を有する画像生成装置において、入力された画像データに対して、予め設定した濃度ムラ成分除去フィルタ係数によるフィルタリングをフィルタ部７で実施して濃度ムラ成分を低減する。【選択図】　　　　図１
2004056592.tif 000002
【特許請求の範囲】
【請求項１】
メモリ部に蓄積された画像データに対するフィルタリングを実施するフィルタ部を有する画像生成装置において、入力された画像データに対して、予め設定した濃度ムラ成分除去フィルタ係数によるフィルタリングをフィルタ部で実施して濃度ムラ成分を低減することを特徴とする画像生成装置。
【請求項２】
請求項１記載の画像生成装置において、濃度ムラ成分除去フィルタ係数を保持するフィルタ係数保持メモリ部を有し、このフィルタ係数保持メモリ部は、製品個々に最適な濃度ムラ成分除去フィルタ係数を保持できることを特徴とする画像生成装置。
【請求項３】
請求項２記載の画像生成装置において、濃度ムラ計測用内部パターンを保持する濃度ムラ計測用内部パターン部を有すると共に、メモリ部に保持された画像データに対する２次元ＦＦＴ機能を実施するＦＦＴ部を有し、濃度ムラ計測用内部パターンの出力サンプルをスキャナ部で読み取ってメモリ部に蓄積し、蓄積した画像データに対する２次元ＦＦＴ実行結果から濃度ムラ成分を反転した演算結果に対して逆ＦＦＴを実行し、製品個々に対する濃度ムラ成分除去フィルタ係数を得ることを特徴とする画像生成装置。
【発明の詳細な説明】
【０００１】
【発明の属する技術分野】
本発明は、メモリ部に蓄積された画像データに対するフィルタリングを実施するフィルタ部を有する、ディジタル複写機に代表される画像生成装置に関するものである。
【０００２】
【従来の技術】
ディジタル複写機の画像品質において、異常画像として濃度ムラがある。スキャナ部が要因の濃度ムラは、ランプの光量分布の不均一性やフレーム等のフレアにより、読み取った画像に濃淡が現れる現象である。これに対して現在は、金属部分の黒塗りやランプの高性能化により対策している。
【０００３】
【発明が解決しようとする課題】
しかし、メカ的な変更や追加だけでは濃度ムラを完全に解消することができず、また対策のための手段も経時劣化するという問題があった。
【０００４】
本発明は、低コストで、スキャナ要因の濃度ムラ成分を画像データから除去して、より高画質な画像を得ることができる画像生成方式を提供することを目的とする。
【０００５】
【課題を解決するための手段】
上記目的を達成するために、請求項１記載の発明は、メモリ部に蓄積された画像データに対するフィルタリングを実施するフィルタ部を有する画像生成装置において、入力された画像データに対して、予め設定した濃度ムラ成分除去フィルタ係数によるフィルタリングをフィルタ部で実施して濃度ムラ成分を低減する画像生成装置を最も主要な特徴とする。
【０００６】
請求項２記載の発明は、請求項１記載の画像生成装置において、濃度ムラ成分除去フィルタ係数を保持するフィルタ係数保持メモリ部を有し、このフィルタ係数保持メモリ部は、製品個々に最適な濃度ムラ成分除去フィルタ係数を保持できる画像生成装置を主要な特徴とする。
【０００７】
請求項３記載の発明は、請求項２記載の画像生成装置において、濃度ムラ計測用内部パターンを保持する濃度ムラ計測用内部パターン部を有すると共に、メモリ部に保持された画像データに対する２次元ＦＦＴ機能を実施するＦＦＴ部を有し、濃度ムラ計測用内部パターンの出力サンプルをスキャナ部で読み取ってメモリ部に蓄積し、蓄積した画像データに対する２次元ＦＦＴ実行結果から濃度ムラ成分を反転した演算結果に対して逆ＦＦＴを実行し、製品個々に対する濃度ムラ成分除去フィルタ係数を得る画像生成装置を主要な特徴とする。
【０００８】
上述したように、本発明は、メカ的な変更や追加をすることなく濃度ムラを低減するため、ソフトウェアで実現できる２次元ＦＦＴ機能およびフィルタリング機能とフィルタリングに要するフィルタ係数を決定するための濃度ムラ計測用内部パターンを追加したものである。これによって、スキャナ要因の濃度ムラ成分を画像データから除去して、より高画質な画像を得ることができる画像生成装置が得られる。
【０００９】
【発明の実施の形態】
以下、図面により本発明の実施の形態を詳細に説明する。図１は本発明の画像生成装置としてのディジタル複写機の実施形態を示す機能ブロック図である。その構成を動作と併せて説明する。スキャナ部１で読み取った原稿の画像データを画像処理部２で適宜処理した後メモリ部３に保持し、書き込み部４により作像してプリンタ部５より出力する。
【００１０】
本発明は、メモリ部３にアクセスできるＦＦＴ部６と、フィルタ部７と、このフィルタ係数を保持しておくフィルタ係数保持メモリ部８と、濃度ムラ計測用内部パターン部９が追加される。図２に示される濃度ムラ計測用内部パターンは、全面が均一な濃度で作像されるパターンであり、その空間周波数特性Ｐ（ω）は図３に示される。
【００１１】
内部パターン部９の画像データは書き込み部４に送られ、プリンタ部５により出力される。出力されたサンプル画像には、本来の出力画像には不要である濃淡が重畳されて、図４のような画像として出力される。この２次元空間周波数特性Ｑ（ω）は図５に示される。Ｑ（ω）は画像データが蓄積されたメモリ部３に対して、２次元ＦＦＴを主副走査両方向に実行することで得ることができる。
【００１２】
ここで、Ｑ（ω）とＰ（ω）の差分Ｒ（ω）
Ｒ（ω）＝Ｐ（ω）−Ｑ（ω）　　　　　　　　　　　　（１）
を考える。この時、Ｒ（ω）の空間周波数特性は図６のようになる。このＲ（ω）は濃度ムラ計測用内部パターンを含まない出力サンプルの空間周波数特性の逆特性を持つ。よって、このＲ（ω）を、濃度ムラ成分を除去するディジタルフィルタ（濃度ムラ成分除去フィルタ）として考え、読み取られた画像データに対してＲ（ω）によるフィルタリングを実施することによりディジタル複写機が持つ本来の画像に不要な濃度ムラ成分を低減することができる。
【００１３】
空間周波数特性Ｒ（ω）を持つディジタルフィルタのフィルタ係数ｒ（ｎ）は、Ｒ（ω）を逆２次元ＦＦＴすることにより得ることができる。得られたフィルタ係数ｒ（ｎ）は、フィルタ係数保持メモリ部８に保持される。今後、画像データが入力毎にディジタルフィルタｒ（ｎ）によるフィルタリングを実施することで、本来の画像に不要な濃度ムラ成分を低減することができる。
【００１４】
以下、実施形態ほさらに詳細に説明する。まず、濃度ムラ成分を除去するための調整モードを実行する。ある領域で濃度ムラが発生するディジタル複写機において、図２の濃度ムラ計測用内部パターンを出力する。出力されたサンプルをスキャナ部１で読み取り、画像データをメモリ部３に蓄積する。この画像データについて、２次元ＦＦＴを実行し空間周波数特性を求める。求められた特性から、図３の振動計測用内部パターン空間周波数成分を取り除く。残った特性を反転し、逆２次元ＦＦＴを実行し、濃度ムラ成分除去フィルタ係数を得る。
【００１５】
次に、実際の複写動作において濃度ムラ成分を除去する。スキャナ部１により原稿を読み込み、メモリ部３に蓄積する。この画像データに対して上記で得られた濃度ムラ成分除去フィルタ係数によるフィルタリングをフィルタ部７で実施し、その結果をプリンタ部５から出力する。フィルタリングされた画像データ（図７）は、濃度ムラ成分（図８）を打ち消すようにフィルタリングされており、より原稿に近い複写画像（図９）を得ることができる。
【００１６】
【発明の効果】
以上説明したように、請求項１によれば、画像データに対して、濃度ムラ成分を打ち消すようにフィルタリングを実施することにより、光量に影響を与えるフレーム部分等の黒塗りやランプの光量均一化等のメカ的な対策を講じていた従来例とは異なり、コストアップをせずに濃度ムラ成分を取り除いた高画質な複写画像を得ることができる。
【００１７】
請求項２によれば、製品個々の特性に最適なフィルタ係数を製品毎に保持することにより、メモリ部に蓄積された画像データに対するフィルタリング実行の際、製品毎に最適なフィルタリングを実行することが可能となり、フィルタ係数を定数とした場合より高画質な複写画像を得ることができる。
【００１８】
請求項３によれば、入力された画像データに対して、製品毎にユニークなフィルタ係数を演算・保持することにより、製品毎に濃度分布が異なる濃度ムラ成分を打ち消すようにフィルタリングを実施することが可能になり、低コストで濃度ムラ成分を取り除いた、より高画質な複写画像を得ることができる。
【図面の簡単な説明】
【図１】本発明の画像生成装置としてのディジタル複写機の実施形態を示す機能ブロック図である。
【図２】濃度ムラ計測用内部パターンを示す図である。
【図３】濃度ムラ計測用内部パターンの空間周波数を示す図である。
【図４】濃度ムラ計測用内部パターンのスキャナ画像を示す図である。
【図５】スキャナ画像の空間周波数分布を示す図である。
【図６】濃度ムラ低減フィルタ特性を示す図である。
【図７】フィルタリングされた画像データを示す図である。
【図８】濃度ムラ成分を示す図である。
【図９】出力画像データを示す図である。
【符号の説明】
１　スキャナ部
３　メモリ部
６　ＦＦＴ部
７　フィルタ部
８　フィルタ係数保持メモリ部
９　濃度ムラ計測用内部パターン部
【図１】
2004056592.tif 000003
【図２】
2004056592.tif 000004
【図３】
2004056592.tif 000005
【図４】
2004056592.tif 000006
【図５】
2004056592.tif 000007
【図６】
2004056592.tif 000008
【図７】
2004056592.tif 000009
【図８】
2004056592.tif 000010
【図９】
2004056592.tif 000011